(57)【要約】【課題】プロジェクターと組み合わせて使用した場合、高コントラストで高階調の表示をすることのできるプロジェクター用スクリーンを提供する。【解決手段】プロジェクター３１から投影される画像を映し出すためのプロジェクター用スクリーン３２において、少なくとも一方が透明な２枚の基板間の空間に表示媒体を封入し、表示媒体を移動させて画像等の情報を表示するプロジェクター用スクリーンであって、プロジェクターが投影する画像と同じ画像を表示可能な情報表示用パネル３３から、プロジェクター用スクリーンを構成した。【選択図】図７
2009162876.tif 000002
【特許請求の範囲】
【請求項１】
プロジェクターから投影される画像を映し出すためのプロジェクター用スクリーンにおいて、少なくとも一方が透明な２枚の基板間の空間に表示媒体を封入し、表示媒体を移動させて画像等の情報を表示するプロジェクター用スクリーンであって、プロジェクターが投影する画像と同じ画像を表示可能な情報表示用パネルから構成したことを特徴とするプロジェクター用スクリーン。
【請求項２】
複数枚の情報表示用パネルから構成したことを特徴とする請求項１に記載のプロジェクター用スクリーン。
【請求項３】
プロジェクターから投影される画像の一画素と情報表示用パネルの整数倍画素とが一致するよう構成したことを特徴とする請求項１または２に記載のプロジェクター用スクリーン。
【発明の詳細な説明】
【技術分野】
【０００１】
本発明は、プロジェクターから投影される画像を映し出すためのプロジェクター用スクリーンに関するものである。
【背景技術】
【０００２】
従来、プロジェクターから投影される画像を映し出すために用いるプロジェクター用スクリーンが使用されている。種々のプロジェクター用スクリーンのうち、簡単な構成で視野角が広く、照明下でも明るい画像投影が可能なプロジェクタースクリーンが知られている（例えば、特許文献１参照）。
【０００３】
【特許文献１】特開２００６−８４５８６号公報
【発明の開示】
【発明が解決しようとする課題】
【０００４】
上述した従来のプロジェクター用スクリーンは、プロジェクターから投影される画像を反射して表示するための機能を持たせているため、通常、白色もしくは黒色のスクリーン等として構成されている。このような構造を有する従来のプロジェクター用スクリーンでは、スクリーン側でコントラストを向上させることが出来なかった。加えて、従来のプロジェクター用スクリーンでは、プロジェクターの表示素子が実現可能なコントラストを下回るコントラストでしか画像の表示が出来なかった。そのため、従来のプロジェクターとプロジェクター用スクリーンを用いた表示では、高コントラストで高階調の表示をすることが出来ない問題があった。
【０００５】
本発明の目的は上述した問題点を解消して、プロジェクターと組み合わせて使用した場合、高コントラストで高階調の表示をすることのできるプロジェクター用スクリーンを提供しようとするものである。
【課題を解決するための手段】
【０００６】
本発明のプロジェクター用スクリーンは、プロジェクターから投影される画像を映し出すためのプロジェクター用スクリーンにおいて、少なくとも一方が透明な２枚の基板間の空間に表示媒体を封入し、表示媒体を移動させて画像等の情報を表示するプロジェクター用スクリーンであって、プロジェクターが投影する画像と同じ画像を表示可能な情報表示用パネルから構成したことを特徴とするものである。
【０００７】
本発明のプロジェクター用スクリーンの好適例としては、複数枚の情報表示用パネルから構成したこと、プロジェクターから投影される画像の一画素と情報表示用パネルの整数倍画素とが一致するよう構成したこと、がある。
【発明の効果】
【０００８】
本発明によれば、プロジェクター用スクリーンを、少なくとも一方が透明な２枚の基板間の空間に表示媒体を封入し、表示媒体を移動させて画像等の情報を表示するプロジェクター用スクリーンであって、プロジェクターが投影する画像と同じ画像を表示可能な情報表示用パネルから構成したことで、プロジェクターと組み合わせて使用した場合、高コントラストで高階調の表示をすることのできるプロジェクター用スクリーンを得ることができる。
【発明を実施するための最良の形態】
【０００９】
まず、本発明のプロジェクター用スクリーンとして用いる情報表示用パネルの一例として帯電粒子移動方式の情報表示用パネルの構成について説明する。前記情報表示用パネルでは、対向する２枚の基板間の空間に封入した少なくとも光学的反射率と帯電性とを有する粒子を含んだ粒子群として構成される表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体とする粒子群を構成する粒子にかかる力は、粒子同士のクーロン力により引き付けあう力の他に、電極や基板との電気鏡像力、分子間力、液架橋力、重力などが考えられる。
【００１０】
本発明のプロジェクター用スクリーンとして用いる帯電粒子移動方式の情報表示用パネルの構成を図１（ａ），（ｂ）〜図４（ａ），（ｂ）、図５、図６に基づき説明する。 
【００１１】
図１（ａ），（ｂ）に示す例では、少なくとも光学的反射率および帯電性を有する粒子を含んだ粒子群として構成される互いに光学的反射率および帯電特性が異なる粒子群として構成された少なくとも２種以上の表示媒体３（ここでは表示用白色粒子３Ｗａの粒子群からなる白色表示媒体３Ｗと表示用黒色粒子３Ｂａの粒子群からなる黒色表示媒体３Ｂを示す）を、隔壁４で形成された各セルにおいて、基板１に設けた電極５（個別電極）と基板２に設けた電極６（個別電極）との間に電圧を印加することにより発生する電界に応じて、基板１、２と垂直に移動させる。そして、図１（ａ）に示すように白色表示媒体３Ｗを観察者に視認させて白色ドット表示を行うか、あるいは、図１（ｂ）に示すように黒色表示媒体３Ｂを観察者に視認させて黒色ドット表示を行っている。なお、図１（ａ）、（ｂ）において、手前にある隔壁は省略している。
【００１２】
図２（ａ）、（ｂ）に示す例では、少なくとも光学的反射率および帯電性を有する粒子を含んだ粒子群として構成される互いに光学的反射率および帯電特性が異なる粒子群として構成された少なくとも２種以上の表示媒体３（ここでは表示用白色粒子３Ｗａの粒子群からなる白色表示媒体３Ｗと表示用黒色粒子３Ｂａの粒子群からなる黒色表示媒体３Ｂを示す）を、隔壁４で形成された各セルにおいて、基板１に設けた電極５（ライン電極）と基板２に設けた電極６（ライン電極）との間に電圧を印加することにより発生する電界に応じて、基板１、２と垂直に移動させる。そして、図２（ａ）に示すように白色表示媒体３Ｗを観察者に視認させて白色ドット表示を行うか、あるいは、図２（ｂ）に示すように黒色表示媒体３Ｂを観察者に視認させて黒色ドット表示を行っている。なお、図２（ａ）、（ｂ）において、手前にある隔壁は省略している。
【００１３】
図３（ａ）、（ｂ）に示す例では、３個のセルで表示単位（１ドット）を構成するカラー表示の例を示している。図３（ａ）、（ｂ）に示す例では、表示媒体としてはセル２１−１〜２１−３の全てに白色表示媒体３Ｗと黒色表示媒体３Ｂとを充填し、第１のセル２１−１の観察者側に赤色カラーフィルター２２Ｒを設け、第２のセル２１−２の観察者側に緑色カラーフィルター２２Ｇを設け、第３のセル２１−３の観察者側に青色カラーフィルター２２Ｂを設け、第１のセル２１−１、第２のセル２１−２および第３のセル２１−３の３個のセルで表示単位（１ドット）を構成している。本例では、カラー表示を行う際に、図３（ａ）に示すように、観察者側に、第１セル２１−１〜第３のセル２１−３の全てにおいて白色表示媒体３Ｗを移動することで、観察者に対し白色ドット表示を行うか、あるいは、図３（ｂ）に示すように、観察者側に、第１セル２１−１〜第３のセル２１−３の全てにおいて黒色表示媒体３Ｂを移動することで、観察者に対し黒色ドット表示を行っている。なお、図３（ａ）、（ｂ）において、手前にある隔壁は省略している。各セルにおける表示媒体の移動のさせ方で多色カラー表示を行うことができる。
【００１４】
図４（ａ）、（ｂ）に示す例では、少なくとも光学的反射率と帯電性を有する粒子を含んだ粒子群として構成された１種類の表示媒体３（ここでは表示用白色粒子３Ｗａの粒子群からなる白色表示媒体３Ｗを示す）を、隔壁４で形成された各セルにおいて、基板１に設けた電極５と黒色電極６との間に電圧を印加することにより発生する電界に応じて、基板１、２と平行方向に移動させる。そして、図４（ａ）に示すように、白色表示媒体３Ｗを観察者に視認させて白色ドット表示を行うか、あるいは、図４（ｂ）に示すように、黒色電極６の色を観察者に視認させて黒色ドット表示を行っている。なお、図４（ａ）、（ｂ）に示す例では、手前にある隔壁は省略している。表示媒体の色と電極が呈する色とはこの組合せに限られない。又、透明電極としてその下にカラー板を配置してカラー板の色を表示させることもできる。
【００１５】
図５に示す例では、基板１，２間の空間に、表示媒体として白色表示媒体３Ｗと黒色表示媒体３Ｂとを絶縁液体７とともに内部に充填したマイクロカプセル８を配置している。本例では、基板１に設けた電極５と基板２に設けた電極６との間に電圧を印加することにより発生する電界に応じて、マイクロカプセル内の表示媒体を移動させて白／黒のドット表示を行っている。この図５に示す例は、マイクロカプセル８と個別電極５，６との位置関係が対応している。なお、図５において、手前にある隔壁は省略している。
【００１６】
図６に示す例では、基板１，２間の空間に、表示媒体として白色表示媒体３Ｗと黒色表示媒体３Ｂとを絶縁液体７とともに内部に充填したマイクロカプセル８を充填している。本例では、基板１に設けた電極５と基板２に設けた電極６との間に電圧を印加することにより発生する電界に応じて、マイクロカプセル内の表示媒体を移動させて白／黒のドット表示を行っている。この図６に示す例は、マイクロカプセル８と個別電極５，６との位置関係が非対応になっている。なお、図６において、手前にある隔壁は省略している。
【００１７】
本発明のプロジェクター用スクリーンの特徴は、プロジェクター用スクリーンを、上述したように、少なくとも一方が透明な２枚の基板間の空間に表示媒体を封入し、表示媒体を移動させて画像等の情報を表示するプロジェクター用スクリーンであって、プロジェクターが投影する画像と同じ画像を表示可能な情報表示用パネルから構成した点にある。
【００１８】
図７は本発明のプロジェクター用スクリーンの一例を説明するための図である。図７に示す例において、３１は画像を投影するためのプロジェクター、３２は情報表示用パネル３３を枠体３４に固定して構成されたプロジェクター用スクリーン、である。そして、プロジェクター用スクリーン３２を構成する情報表示用パネル３３は、プロジェクター３１が投影する画像と同じ画像を表示可能に構成している。本例では、プロジェクター３１が画像をスクリーン３２に投影することで、プロジェクター３１が投影した画像に加えて、情報表示用パネル３３も同じ画像を表示することができるため、画像を重ねることで、高コントラストで高階調の表示をすることができる。
【００１９】
上述した本発明を達成するには、プロジェクター３１がスクリーン３２上に投影する画像とスクリーン３２を構成する情報表示用パネル３３が表示する画像とが、同期がとれており、しかも、両者の画像を構成する画素と画素とが対応して表示される必要がある。図８（ａ）、（ｂ）はそれぞれ本発明におけるプロジェクター３１が投影する画像の画素と情報表示用パネル３３が表示する画像の画素との関係を説明するための図である。図８（ａ）に示す例では、プロジェクター３１が投影する画像４１の一画素４２と情報表示用パネル３３が表示する画像４３の一画素４４とを対応させて表示している。また、図８（ｂ）に示す例では、プロジェクター３１が投影する画像４１の一画素４２と情報表示用パネル３３が表示する画像４３の整数倍画素、ここでは、２×２の４画素から構成される画像領域４５とを対応させて表示している。もちろん、設定に応じて整数倍画素の数は２×２に限定されない。
【００２０】
実際に、従来のスクリーンでコントラストが１０００：１になるように図９のような図形を表示し、スクリーンを本発明のスクリーン３２に代えたところ、コントラストが５０００：１になった。このことから、高いコントラストでの画像表示が達成できることがわかる。
【００２１】
以下、本発明のプロジェクター用スクリーンとして用いる情報表示用パネルを構成する各部材について説明する。
【００２２】
基板としては、少なくとも一方の基板はパネル外側から表示媒体の色が確認できる透明基板であり、可視光の透過率が高くかつ耐熱性の良い材料が好適である。もう一方の基板となる背面基板は透明でも不透明でもかまわない。基板材料を例示すると、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフィン（ＰＥＳ）、アクリル等の 有機高分子系基板や、ガラスシート、石英シート、金属シート等を用い、表示面側にはこのうち透明なものを用いる。基板の厚みは、２〜２０００μｍが好ましく、さらに５〜１０００μｍが好適であり、薄すぎると、強度、基板間の間隔均一性を保ちにくくなり、２０００μｍより厚いと、薄型スクリーンとする場合に不都合がある。
【００２３】
基板に設ける電極の形成材料としては、アルミニウム、銀、ニッケル、銅、金等の金属類や酸化インジウム錫（ＩＴＯ）、酸化インジウム亜鉛（ＩＺＯ）、アルミニウムドープ酸化亜鉛（ＡＺＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法、金属箔をラミネートする方法（例えば圧延銅箔など）や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がなく、本発明の電極を設ける。いずれの場合もパターン形成可能である導電性である上記材料を好適に用いることができる。なお、電極厚みは、導電性が確保でき光透過性に支障がなければ良く、０．０１〜１０μｍ、好ましくは０．０５〜５μｍが好適である。背面側基板に設ける電極の材質や厚みなどは上述した表示面側基板に設ける電極と同様であるが、透明である必要はない。なお、この場合の外部電圧入力は、直流あるいは交流を重畳しても良い。
【００２４】
必要に応じて基板に設ける隔壁については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜５００μｍ、好ましくは１０〜２００μｍ、さらに好ましくは１０〜１００μｍ、特に好ましくは１０〜５０μｍに調整される。隔壁の高さは基板間隔と合わせるが、部分的に隔壁の高さを基板間隔より低くすることもできる。
また、隔壁を形成するにあたり、対向する両基板１、２の各々にリブを形成した後に接合する両リブ法、片側の基板上にのみリブを形成する片リブ法が考えられる。この発明では、いずれの方法も用いられる。
これらのリブからなる隔壁により形成されるセルは、図１０に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示装置に搭載する情報表示用パネルに好適に用いることができるが、これらのうち、レジストフィルムを用いるフォトリソ法や金型転写法が好適に用いられる。 
【００２５】
次に、本発明の対象となる帯電粒子移動方式の情報表示用パネルにおいて表示媒体を構成する帯電性粒子（以下、表示用粒子とも粒子ともいう）について説明する。表示用粒子は、そのまま該表示用粒子だけで構成して表示媒体としたり、その他の粒子と合わせて構成して表示媒体としたりして用いられる。
粒子には、その主成分となる樹脂に、必要に応じて、荷電制御剤、着色剤、無機添加剤等を含ますことができる。以下に、樹脂、荷電制御剤、着色剤、その他添加剤を例示する。
【００２６】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００２７】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００２８】
着色剤としては、以下に例示するような、有機または無機の各種、各色の顔料、染料が使用可能である。
【００２９】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。 
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３０】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。 
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。 
紫色着色剤としては、マンガン紫、ファーストバイオレットＢ、メチルバイオレットレーキ等がある。 
白色着色剤としては、亜鉛華、酸化チタン、アンチモン白、硫化亜鉛等がある。
【００３１】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３２】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。上記着色剤を配合して所望の色の表示用粒子を作製できる。
【００３３】
また、本発明の表示用粒子（以下、粒子ともいう）は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００３４】
さらに本発明では、各表示用粒子の粒子径分布に関して、下記式に示される粒子径分布Spanを５未満、好ましくは３未満とする。
Span＝（ｄ(0.9)−ｄ(0.1)）／ｄ(0.5) 
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００３５】
さらにまた、使用した表示用粒子の内、最大径を有する粒子のd(0.5)に対する最小径を有する粒子のd(0.5)の比を１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００３６】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００３７】
さらに、帯電粒子を含んだ粒子群として構成する表示媒体を気体中空間で駆動させる方式とする場合には、パネル基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ），（ｂ）〜図４（ａ），（ｂ）、図５、図６において、対向する基板１、基板２に挟まれる部分から、電極５、６（電極を基板の内側に設けた場合）、表示媒体３の占有部分、隔壁４の占有部分（隔壁を設けた場合）、パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるようにパネルに封入することが必要であり、例えば、表示媒体の充填、パネルの組み立てなどを所定湿度環境下にて行い、さらに、外からの湿度侵入を防ぐシール材、シール方法を施すことが肝要である。
【００３８】
本発明の情報表示用パネルにおける基板と基板との間隔は、表示媒体が移動できて、コントラストを維持できればよいが、通常１０〜５００μｍ、好ましくは１０〜２００μｍ、さらに好ましくは１０〜１００μｍ、特に好ましくは１０〜５０μｍに調整される。
対向するパネル基板間の気体中空間における表示媒体の体積占有率は５〜７０％が好ましく、さらに好ましくは５〜６０％である。７０％を超える場合には表示媒体としての移動に支障をきたし、５％未満の場合にはコントラストが不明確となり易い。
【産業上の利用可能性】
【００３９】
本発明のプロジェクター用スクリーンによれば、専用のプロジェクターと組み合わせて使用した場合、高コントラストで高階調の表示をすることのできるプロジェクター用スクリーンとして好適に用いることができる。
【図面の簡単な説明】
【００４０】
【図１】（ａ）、（ｂ）は本発明のプロジェクター用スクリーンとして用いる情報表示用パネルの原理的構成の一例を示す図である。
【図２】（ａ）、（ｂ）は本発明のプロジェクター用スクリーンとして用いる情報表示用パネルの原理的構成の他の例を示す図である。
【図３】（ａ）、（ｂ）は本発明のプロジェクター用スクリーンとして用いる情報表示用パネルの原理的構成のさらに他の例を示す図である。
【図４】（ａ）、（ｂ）は本発明のプロジェクター用スクリーンとして用いる情報表示用パネルの原理的構成のさらに他の例を示す図である。
【図５】本発明のプロジェクター用スクリーンとして用いる情報表示用パネルの原理的構成のさらに他の例を示す図である。
【図６】本発明のプロジェクター用スクリーンとして用いる情報表示用パネルの原理的構成のさらに他の例を示す図である。
【図７】本発明のプロジェクター用スクリーンの一例を説明するための図である。
【図８】（ａ）、（ｂ）はそれぞれ本発明におけるプロジェクターが投影する画像の画素と情報表示用パネルが表示する画像の画素との関係を説明するための図である。
【図９】実施例における表示パターンを示す図である。
【図１０】本発明の情報表示用パネルにおける隔壁の形状の一例を示す図である。
【符号の説明】
【００４１】
１、２   基板
３   表示媒体（粒子群） 
３Ｗ   白色表示媒体 
３Ｂ   黒色表示媒体
３Ｗａ   白色表示用粒子 
３Ｂａ   黒色表示用粒子 
４  隔壁
５、６  電極
７  絶縁液体
８  マイクロカプセル
２１−１〜２１−３  セル
２２Ｒ  赤色カラーフィルター
２２Ｇ  緑色カラーフィルター
２２Ｂ  青色カラーフィルター
３１  プロジェクター
３２  スクリーン
３３  情報表示用パネル
３４  枠体
４１、４３  画像
４２、４４  一画素
４５  画素領域
【図１】
2009162876.tif 000003
【図２】
2009162876.tif 000004
【図３】
2009162876.tif 000005
【図４】
2009162876.tif 000006
【図５】
2009162876.tif 000007
【図６】
2009162876.tif 000008
【図７】
2009162876.tif 000009
【図８】
2009162876.tif 000010
【図９】
2009162876.tif 000011
【図１０】
2009162876.tif 000012